(57)【要約】  本発明は、蛍光体材料が堆積される少なくとも１つのアノードを備えるカソード・ルミネセント・ディスプレイのアセンブリ、及びその保護覆いに関し、この覆いが、塊中に埋め込まれてディスプレイ用のカラーフィルタを形成する着色顔料を備える樹脂からなり、蛍光体材料及び覆い着色顔料が、所定の比色分析における演色性をもたらすように選択され、覆いが、さらに、減衰された透過率を示す。光透過率は、５％から２０％の間にある。【選択図】図３【特許請求の範囲】
【請求項１】
蛍光体材料が堆積される少なくとも１つのアノードを具備するカソード・ルミネセント・ディスプレイのアセンブリ、及びその保護覆いであって、
前記覆いは、塊中に埋め込まれて前記ディスプレイ用のカラーフィルタを形成する着色顔料を備える樹脂からなり、
前記蛍光体材料及び前記覆いの着色顔料は、所定の比色分析における演色性をもたらすよう選択され、
前記覆いは、さらに、減衰された透過率を示す
ことを特徴とするアセンブリ。  
【請求項２】
５％から２０％の間の光透過率を示す
ことを特徴とする請求項１に記載の覆い。
【請求項３】
５．５％から７．５％の間の光透過率を示す
ことを特徴とする請求項２に記載の覆い。
【発明の詳細な説明】
【技術分野】
【０００１】
本発明は、特に車輌ダッシュボード上の、真空蛍光ディスプレイを意味するＶＦＤとして参照されるカソード・ルミネセント・ディスプレイ・スクリーンによる情報ディスプレイの分野に関する。
【背景技術】
【０００２】
例えばブラウン管等のカソード・ルミネセント・ディスプレイは、蛍光体粒子の層を励起する電子ビームを用いる。このため、基本構造は、真空が形成されるガラスエンベロープ内部に封止されるカソードと、グリッドと、アノードとを備える。このカソードは、加熱により、熱電子放出を引き起こすのに十分な温度に至る。このグリッドは、金属格子から成り、分極により、カソード電流をアノードへと制御する。このアノードは、電子の作用の下、発光する蛍光体層で被覆されるセグメント或いはドットの形状をなす。これは、電子放出に対してグリッドの後部に位置付けられる。
【０００３】
ディスプレイ上に現れる画像或いは文字は、このため、アノードのセグメント或いはドットの形状によって予め定義される。このタイプのディスプレイの主要な特徴は、フィールド・エミッション・ディスプレイの特徴、すなわち：
−非常に高いコントラスト、
−等方性（或いは“均等拡散”）放射、従って、大きな視角、
−非常に短い応答時間、
−白昼でも観察可能な高輝度、
−高温に対する良好な耐性、
−比較的低い製造コスト、である。
【０００４】
光放射の色（波長）は、蛍光体の性質により決定される。その放射スペクトルが可視スペクトルをカバーする範囲の蛍光体が、使用される。例えば、ＺｎＳ：Ｚｎタイプの蛍光体は、最大４６４ｎｍであって４００ｎｍから６００ｎｍの間で、放射し、又はＺｎＯ：Ｚｎタイプの蛍光体は、最大５０５ｎｍで４００ｎｍから７００ｎｍの間で放射する。
【０００５】
特に自動車分野での適用において、ディスプレイは、半透明の覆いの裏側、ダッシュボード内部のハウジングに挿入される。この半透明の覆いは、通常、“スモーク”に着色されて、点灯されない場合に、不透明で暗い表面を示す。７．５％程度に低い光透過率は、十分である。さらに、この分野での使用における制約を充足して、所定の比色分析における演色性を得るために、ディスプレイの蛍光体に依存する適切なカラーフィルタは、前方のガラス枠上の、ディスプレイ及び覆いの間に、配置される。
【発明の開示】
【発明が解決しようとする課題】
【０００６】
本出願人は、構成を簡素化するために、全体構造を改良しようとするものである。
【課題を解決するための手段】
【０００７】
本出願人は、この課題を、蛍光体材料がその上に堆積される少なくとも１つのアノードを備えるカソード・ルミネセント・ディスプレイのアセンブリ、及びその保護覆いにより解決し、このアセンブリにおいて、覆いは、塊中に埋め込まれてディスプレイ用のカラーフィルタを形成する着色顔料を備える樹脂からなり、蛍光体材料及び覆いの着色顔料は、所定の比色分析における演色性をもたらすように選択され、覆いは、さらに、減衰された透過率を示す。
【０００８】
本発明の特徴によれば、覆いは、５％から２０％の間、好適には５％から１０％の間、特に５．５％から７．５％の間の光透過率を示す。
【０００９】
本発明は、以下において、付随の図面を参照してより詳細に説明される。
【発明を実施するための最良の形態】
【００１０】
図１は、多様なコンポーネントを備えるカソード・ルミネセント・ディスプレイＥＣを示す図である。このディスプレイは、アノードを形成する電極層が配置されるガラスプレート１を具備し、このアノードは、蛍光体材料３で被覆される。電極の形状は、素子によって、セグメント或いはドットの形状で構成される。これらの素子は、互いに結合して、英数文字或いは所望の形状を形成する。グリッド４は、アノード２と、カソード５のフィラメントの間に挿入される。このカソードのフィラメントは、アルカリ金属酸化物で被覆されるタングステンの細長いロッドの形状をとる。
【００１１】
第２のガラスプレート６は、観察者に可視的である前方窓ガラスを形成する。２つのガラスプレート及び２つの横軸スペーサ９、９´により形成される筐体は、真空化される。電極間に電圧が生成された場合、電子は、蛍光体材料３を活性化して、フロントプレート６を介して光子を放射させる。
【００１２】
図２は、本アプリケーションに通常使用される多様な蛍光体により放射される光のスペクトラム分布を示す。横座標は、波長を示し、縦座標は、放射される光の相対的パーセンテージを示す。例えば、蛍光体IIは、ピーク４６５ｎｍで、４００ｎｍから５８０ｎｍの間の波長で、放射する。
【００１３】
先行技術によれば、蛍光体材料を選択し、フロントプレート上に適切なカラーフィルタを形成するフィルム７を配置することによって、あらゆる所望の比色分析における演色性を示す画像が得られる。
【００１４】
自動車において、ディスプレイは通常、後部及び側部が閉止されたハウジング内部に配置される。このハウジングは、その正面で、その発光透過率がディスプレイ用に十分低い半透明プレート８でマスクされ、発光しない場合、車輌のキャビンからは可視的でない。正面のプレート８は、“スモーク”樹脂からなる。その透過率は、２０％未満である。
【００１５】
図３は、本発明に係る実施形態を示す。このディスプレイは、上記と同様であるが、放射される光をフィルタするフィルムを備えない点において相違する。この機能は、覆い１８により奏され、この覆い１８は、上記の実施形態のように５％から２０％の間の発光透過率であるスモーク外観を有するが、さらに、本発明によれば、カラーフィルタを形成する。
【００１６】
有利には、この半透明覆いは、ポリメチル・メタクリレート（ＰＭＭＡ）等の樹脂からなる。
【００１７】
適切な着色顔料は、材料内に組み込まれる。製造の様式は、樹脂材料の製造分野において、知られている。適切な顔料は、例えば、射出前に、樹脂、ここではＰＭＭＡの顆粒と混合され、成形工程の前に好適な着色材料が得られる。
【００１８】
顔料は、ディスプレイの蛍光体とともに選択され、比色分析における演色性は、所定の値に決定される。特に、顔料は、フィルタを介して観察されるＶＦＤの色が、４９０ｎｍの主波長を示すように選択される。
【００１９】
青緑色の色合いの光を放射する蛍光体は、この目的のために使用され、緑の波長を減衰するフィルタ要素が、覆い内部に組み込まれる。アセンブリの効果として、このため、より飽和した青色が示される。
【００２０】
当然、本発明の範囲から逸脱することなく、他の組み合わせが可能である。
【図面の簡単な説明】
【００２１】
【図１】図１は、カソード・ルミネセント・ディスプレイを示す図である。
【図２】図２は、蛍光体のスペクトラム分布を示す図である。
【図３】図３は、本発明に係る構成を示す図である。
【図１】
2007514958.tif 000002
【図２】
2007514958.tif 000003
【図３】
2007514958.tif 000004
【国際調査報告】
2007514958.tif 000005
2007514958.tif 000006
2007514958.tif 000007
2007514958.tif 000008
2007514958.tif 000009
2007514958.tif 000010